(57)【要約】      （修正有）【課題】電動リールの設定や操作において、ユーザの利便性を向上させる釣り糸情報設定方法の提供。【解決手段】スマートフォン等の電子機器１０２を用いて、電子機器１０２と通信可能な電動リール１００に、釣り糸の情報を設定する。電子機器１０２は、釣り糸の商品情報を取得し、取得した商品情報を用いて、当該商品情報に対応する、電動リール１０２に当該釣り糸を用いる際に必要となる所定の設定情報を例えばサーバ１０３から取得し、取得した設定情報を、電動リール１０２に送信する。【選択図】図１
2017163886.tif 000002
【特許請求の範囲】
【請求項１】
電子機器を用いて、当該電子機器と通信可能な電動リールに釣り糸の情報を設定する方法であって、
前記電子機器が、
釣り糸の商品情報を取得し、
取得した商品情報を用いて、当該商品情報に対応する、前記電動リールに当該釣り糸を用いる際に必要となる所定の設定情報を取得し、
取得した設定情報を、電動リールに送信する
ことを特徴とする釣り糸情報設定方法。
【請求項２】
請求項１記載の釣り糸情報設定方法において、
前記電子機器は、所定のサーバと通信可能であり、
前記電子機器が、
取得した商品情報を、前記サーバに送信し、
前記サーバから、前記所定の設定情報を受信する
ことを特徴とする釣り糸情報設定方法。
【請求項３】
請求項１または２記載の釣り糸情報設定方法において、
前記所定の設定情報は、当該釣り糸の径に関する情報を含む
ことを特徴とする釣り糸情報設定方法。
【請求項４】
請求項１〜３のうちいずれか１項記載の釣り糸情報設定方法において、
前記電子機器は、バーコードの読み取り機能を備えており、
前記電子機器は、釣り糸のパッケージに付されたバーコードから、当該釣り糸の商品情報を取得する
ことを特徴とする釣り糸情報設定方法。
【請求項５】
請求項１〜３のうちいずれか１項記載の釣り糸情報設定方法において、
前記電子機器は、カメラを備えており、
前記電子機器は、釣り糸のパッケージに付されたラベルを前記カメラによって撮影した画像から、画像処理によって、当該釣り糸の商品情報を認識する
ことを特徴とする釣り糸情報設定方法。
【請求項６】
請求項１〜５のうちいずれか１項記載の釣り糸情報設定方法において、
前記電子機器は、
前記釣り糸を前記電動リールに巻き取る長さである巻き取り量を取得し、
前記電動リールに、前記設定情報として、前記巻き取り量を送信する
ことを特徴とする釣り糸情報設定方法。
【請求項７】
請求項６記載の釣り糸情報設定方法において、
前記電子機器は、カメラを備えており、
前記電子機器は、
釣り糸を巻き付けた円筒形のパッケージをその軸方向から前記カメラによって撮影した画像から、円環状である糸巻き部分の輪郭形状を取得し、
サーバから、所定長の釣り糸を巻き付けた前記パッケージにおける、前記糸巻き部分の内径および外径のデータを取得し、
画像から取得した輪郭形状と、サーバから取得した内径および外径のデータとを用いて、前記パッケージに巻かれた釣り糸の長さを推定し、
推定した釣り糸の長さを、前記巻き取り量として取得する
ことを特徴とする釣り糸情報設定方法。
【請求項８】
請求項１〜７のうちいずれか１項記載の釣り糸情報設定方法において、
前記電子機器は、魚群探知機から信号を受信可能であり、
前記電子機器は、
前記魚群探知機から、魚影の水深を示す魚影情報を取得し、
前記電動リールに、前記魚影情報が示す水深まで釣り糸を繰り出す動作を指示する命令信号を送信する
ことを特徴とする釣り糸情報設定方法。
【請求項９】
電子機器に、当該電子機器と通信可能な電動リールに釣り糸の情報を設定する処理を実行させるプログラムであって、
前記プログラムは、前記電子機器に、
釣り糸の商品情報を取得し、
取得した商品情報を用いて、当該商品情報に対応する、前記電動リールに当該釣り糸を用いる際に必要となる所定の設定情報を取得し、
取得した設定情報を、電動リールに送信する処理を実行させる
ことを特徴とする釣り糸情報設定プログラム。
【発明の詳細な説明】
【技術分野】
【０００１】
本発明は、釣りに用いる電動リールの動作制御に関する。
【背景技術】
【０００２】
特許文献１では、電動リール等の釣り用リールにおいて、仕掛けの水深や棚位置を表示するための表示部と、表示部の周囲に配置された各種の操作キー部とを備えた構成が開示されている。操作キー部によって、例えば、スプールを回転させるためのモータのオンオフや、モータの回転速度の増減等の操作ができる。あるいは、操作キー部によって、水深表示のための学習モードを設定したり、水深表示のための糸長算出における補正係数を選択するために、釣り糸の固有情報を入力したりする。
【先行技術文献】
【特許文献】
【０００３】
【特許文献１】特開２００２−６５１２７号公報
【発明の概要】
【発明が解決しようとする課題】
【０００４】
特許文献１の構成では、釣りを行うユーザは、電動リールの設定作業を、操作キー部を操作することによって行う必要がある。ところが、操作キー部は、リール本体表面におけるスペースの制約から、少数のスイッチしか配置されていない。このため、例えば釣り糸の情報を電動リールに入力するためには、ユーザは少数のスイッチを複雑に操作する必要があり、煩わしさを感じる。また、電動リールを操作する場合には、ユーザは電動リールのそばにいて、小さな表示部の表示内容を確認しながら操作キー部を操作する必要があり、不便である。
【０００５】
本発明は、電動リールの設定や操作において、ユーザの利便性を向上させることを目的とする。
【課題を解決するための手段】
【０００６】
本発明の一態様は、電子機器を用いて、当該電子機器と通信可能な電動リールに釣り糸の情報を設定する方法に関し、前記電子機器が、釣り糸の商品情報を取得し、取得した商品情報を用いて、当該商品情報に対応する、前記電動リールに当該釣り糸を用いる際に必要となる所定の設定情報を取得し、取得した設定情報を、電動リールに送信する。
【０００７】
この構成によると、電子機器は、釣り糸の商品情報を取得し、取得した商品情報を用いて、電動リールに釣り糸を用いる際に必要となる所定の設定情報を取得し、取得した設定情報を電動リールに送信する。これにより、ユーザは、電動リールを直接操作しなくても、電子機器を介して、所定の設定情報を電動リールに与えることができる。
【０００８】
前記態様において、前記電子機器は、所定のサーバと通信可能であり、前記電子機器が、取得した商品情報を前記サーバに送信し、前記サーバから前記所定の設定情報を受信するものとしてもよい。
【０００９】
この構成によると、電子機器は、サーバから、設定情報を取得することができる。
【００１０】
また、前記態様において、前記所定の設定情報は、当該釣り糸の径に関する情報を含むものとしてもよい。
【００１１】
この構成によると、電子機器を介して、釣り糸の径に関する情報を、電動リールに与えることができる。
【００１２】
また、前記態様において、前記電子機器は、バーコードの読み取り機能を備えており、前記電子機器は、釣り糸のパッケージに付されたバーコードから、当該釣り糸の商品情報を取得するものとしてもよい。
【００１３】
この構成によると、電子機器は、釣り糸のパッケージに付されたバーコードから、商品情報を取得することができる。
【００１４】
また、前記態様において、前記電子機器は、カメラを備えており、前記電子機器は、釣り糸のパッケージに付されたラベルを前記カメラによって撮影した画像から、画像処理によって、当該釣り糸の商品情報を認識するものとしてもよい。
【００１５】
この構成によると、電子機器は、釣り糸のパッケージに付されたラベルの画像から、商品情報を取得することができる。
【００１６】
また、前記態様において、前記電子機器は、前記釣り糸を前記電動リールに巻き取る長さである巻き取り量を取得し、前記電動リールに、前記設定情報として、前記巻き取り量を送信するものとしてもよい。
【００１７】
この構成によると、電子機器を介して、釣り糸を電動リールに巻き取る長さである巻き取り量を、電動リールに与えることができる。
【００１８】
さらに、前記前記電子機器はカメラを備えており、前記電子機器は、釣り糸を巻き付けた円筒形のパッケージをその軸方向から前記カメラによって撮影した画像から、円環状である糸巻き部分の輪郭形状を取得し、サーバから、所定長の釣り糸を巻き付けた前記パッケージにおける、前記糸巻き部分の内径および外径のデータを取得し、画像から取得した輪郭形状と、サーバから取得した内径および外径のデータとを用いて、前記パッケージに巻かれた釣り糸の長さを推定し、推定した釣り糸の長さを、前記巻き取り量として取得するものとしてもよい。
【００１９】
この構成によると、電子機器は、釣り糸を巻き付けたパッケージの画像を基にして、巻き取り量を推定することができる。
【００２０】
また、前記態様において、前記電子機器は、魚群探知機から信号を受信可能であり、前記電子機器は、前記魚群探知機から、魚影の水深を示す魚影情報を取得し、前記電動リールに、前記魚影情報が示す水深まで釣り糸を繰り出す動作を指示する命令信号を送信するものとしてもよい。
【００２１】
この構成によると、電子機器は、魚群探知機から受信した魚影情報が示す水深まで釣り糸を繰り出す動作を、電動リールに実行させることができる。
【００２２】
本発明の他の態様は、電子機器に、当該電子機器と通信可能な電動リールに釣り糸の情報を設定する処理を実行させるプログラムに関し、前記プログラムは、前記電子機器に、釣り糸の商品情報を取得し、取得した商品情報を用いて、当該商品情報に対応する、前記電動リールに当該釣り糸を用いる際に必要となる所定の設定情報を取得し、取得した設定情報を、電動リールに送信する処理を実行させる。
【００２３】
この構成によると、プログラムによって、電子機器は、釣り糸の商品情報を取得し、取得した商品情報を用いて、電動リールに釣り糸を用いる際に必要となる所定の設定情報を取得し、取得した設定情報を電動リールに送信する。これにより、ユーザは、電動リールを直接操作しなくても、電子機器を介して、所定の設定情報を電動リールに与えることができる。
【発明の効果】
【００２４】
本発明によると、ユーザは、電動リールを直接操作しなくても、電子機器を介して、所定の設定情報を電動リールに与えることができる。
【図面の簡単な説明】
【００２５】
【図１】実施形態に係る全体構成を示すブロック図
【図２】電動リールの外観の例
【図３】電動リールの機能構成の例
【図４】実施形態に係る釣り糸情報設定方法の一例を示すフローチャート
【図５】サーバに管理されたデータベースの例
【図６】スマートフォンの画面例
【図７】スマートフォンの画面例
【図８】釣り糸パッケージを側面から撮像したイメージ図
【発明を実施するための形態】
【００２６】
以下、本発明の実施の形態について、図面を参照して説明する。
【００２７】
（構成）
図１は実施形態に係る全体構成を示すブロック図である。本実施形態では、電動リール１００は、例えばBluetooth（登録商標）を用いてスマートフォン１０２と通信可能である。スマートフォン１０２は、例えばインターネット１１０を介して、釣り糸の情報をデータベースで管理するサーバ１０３と通信可能である。また、スマートフォン１０２は、魚群探知機１０４から送信されるデータを受信可能である。釣りを行うユーザは、スマートフォン１０２から、釣り糸を電動リール１００に用いる際に必要となる所定の設定情報を、電動リール１００に送信することができる。また、スマートフォン１０２から、電動リール１００の操作を実行することができる。なお、スマートフォン１０２は、電子機器の一例である。スマートフォン１０２は、いわゆるアプリ（プログラム）を例えばサーバ１０３からダウンロードして実行することによって、本実施形態で説明するような処理を実行することができる。
【００２８】
図２は電動リール１００の外観の一例である。電動リール１００は、釣り竿Ｒに装着されて用いられ、外部電源ＰＳから供給された電力により駆動される。また、釣り糸の繰り出し長さに応じて仕掛けの水深を表示する水深表示機能を有している。
【００２９】
図２に示すように、電動リール１００は、釣り竿Ｒに装着可能なリール本体１と、リール本体１の側方に配置されたスプール回転用のハンドル２と、ハンドル２のリール本体１側に配置されたドラグ調整用のハンドル３とを備える。リール本体１のハンドル２側の側面には、ハンドル２の回転軸が回転自在に支持されている。リール本体１の下面には、外部電源ＰＳの電力を供給する電源コード１８の一端を接続するための本体コネクタ部１９が設けられている。
【００３０】
リール本体１の内部にはハンドル２に連結されたスプール１０が回転自在に支持されている。スプール１０の内部にはスプール１０を糸巻き上げ方向に回転駆動する直流駆動のモータ１２が配置されている。また、図示していないが、リール本体１の内部には、クラッチ機構や回転伝達機構等が設けられている。クラッチ機構は、ハンドル２及びモータ１２とスプール１０との駆動伝達をオンオフする。リール本体１のハンドル２側の側面には、クラッチ機構をオンオフ操作するためのクラッチレバー１１が配置されている。回転伝達機構は、ハンドル２の回転をスプール１０に伝達するとともにモータ１２の回転をスプール１０に伝達する。回転伝達機構は、モータ１２の回転を減速する遊星歯車機構等の減速歯車機構や、ハンドル２の逆転を阻止する逆転防止機構や、スプール１０の糸繰り出し方向の回転を制動するドラグ機構を含む。
【００３１】
リール本体１の表面には、水深表示等を行うための例えば液晶ディスプレイからなる表示部５と、電動リール１００の各種操作を行うための操作キー部６とが設けられている。
【００３２】
図３は電動リール１００の機能構成の一例である。図３に示すように、電動リール１００は、リール制御部２０を備えている。リール制御部２０は、例えばマイクロコンピュータによって実現されており、制御プログラムに従って、表示部５の表示制御や、モータ駆動制御等の各種の制御動作を実行する。モータ１２は、ＰＷＭ駆動回路３１によって駆動される。リール制御部２０は、ＰＷＭ駆動回路３１から出力されるパルス信号のデューティ比を制御することによって、モータ１２の速度を可変に駆動する。ブザー２２は、水深表示等で各種の報知を行うために設けられている。
【００３３】
スプールセンサ２１およびスプールカウンタ２３は、スプール１０の回転数、回転方向及び回転速度を検出するために設けられる。リール本体１内には、スプール１０の回転に連動して回転する磁石がある。スプールセンサ２１は、例えばホール素子、リードスイッチ、または、ＭＲセンサ等からなる２つの磁力検出素子を有し、磁石の回転方向に並べて配置されている。スプールセンサ２１は、いずれの磁力検出素子が先に磁石を検出したかにより、スプール１０の回転方向を検出できる。スプールカウンタ２３は、スプールセンサ２１から出力されるパルスを計数する。スプールカウンタ２３の出力により、スプール１０の回転数や回転速度を検出できる。
【００３４】
記憶部２４は、例えばフラッシュメモリ等の書き換え可能な不揮発メモリによって構成されており、リール制御に必要となる各種の情報を記憶する。例えば、記憶部２４は、スプール回転数と巻き取られる（あるいは繰り出される）釣り糸の長さとの関係を示す糸長データを記憶している。リール制御部２０は、この糸長データを用いて、スプール回転数に応じて仕掛けの水深データを演算し、表示部５に表示する。本実施形態では、記憶部２４は、釣り糸の直径に応じた、複数種類の糸長データを記憶しているものとする。
【００３５】
通信部２５は、例えばBluetooth（登録商標）等の通信機能を有しており、スマートフォン１０２との通信を行う。
【００３６】
（釣り糸情報の設定）
図４は電動リール１００に釣り糸の情報を設定するときの動作の一例を示すフローチャートである。図４は実施形態に係る釣り糸情報設定方法の一例である。ここでは、スマートフォン１０２は、釣り糸のパッケージに付されたバーコードを読み取る機能を有しているものとする。ユーザは、スマートフォン１０２を用いて、電動リール１００に用いる釣り糸のパッケージに付されたバーコードを読み取る（Ｓ１１）。スマートフォン１０２は、読み取ったバーコードから、釣り糸の商品情報を認識する（Ｓ１２）。ここでは例えば、商品情報として、釣り糸の商品名および品番を認識するものとする。スマートフォン１０２は、認識した商品情報をサーバ１０３に送信する（Ｓ１３）。
【００３７】
サーバ１０３は、釣り糸の商品情報をスマートフォン１０２から受信すると（Ｓ２１）、管理しているデータベースにアクセスし、当該商品情報に対応する、電動リール１００に当該釣り糸を用いる際に必要となる所定の設定情報を取得する。ここでは、所定の設定情報は、当該釣り糸の径に関する情報（径情報）であるものとする（Ｓ２２）。サーバ１０３は、取得した径情報をスマートフォン１０２に送信する（Ｓ２３）。
【００３８】
図５はサーバ１０３に管理されているデータベースのデータ構造の一例である。図５のデータベースでは、各商品について、商品名、品番、並びに、釣り糸の号数、直径、および、材質が登録されている。すなわち、図５のデータ構造では、釣り糸の商品情報と、当該釣り糸の径情報とが対応付けて記憶されている。ここでは、径情報として、釣り糸の直径を用いている。
【００３９】
スマートフォン１０２は、サーバ１０３から径情報を受信すると（Ｓ１４）、商品情報と径情報を併せて画面に表示する（Ｓ１５）。図６はステップＳ１５で表示されるスマートフォン１０２の画面の一例である。図６の画面例では、釣り糸の情報として、商品名、品番、並びに、釣り糸の号数および材質が表示されており、また、サーバ１０３から受信した径情報である釣り糸の直径のデータが表示されている。ユーザが画面の送信ボタンを押すと、電動リール１００に釣り糸の直径のデータが送信される（Ｓ１６）。電動リール１００では、リール制御部２０は、記憶部２４に記憶された複数の糸長データから、受信した釣り糸の直径のデータに応じた糸長データを選択し、この選択した糸長データを用いて、仕掛けの水深の演算を行う。
【００４０】
このように本実施形態では、スマートフォン１０２は、釣り糸の商品情報を取得し、取得した商品情報を用いて、電動リール１００に釣り糸を用いる際に必要となる所定の設定情報を取得し、取得した設定情報を電動リール１００に送信する。これにより、ユーザは、電動リール１００を直接操作しなくても、スマートフォン１０２を介して、所定の設定情報を電動リール１００に与えることができる。
【００４１】
ここで、釣り糸は基本的には、その号数が太さを表している。ただし現状では、たとえ号数が同じであっても、メーカーによって太さのばらつきが大きく、また、材質が異なれば太さも異なることが多い。このため、単に釣り糸の号数に基づいて、釣り糸の繰り出し長さすなわち水深データを求めた場合には、実際と大きな誤差が生じることが多い。これに対して本実施形態では、電動リール１００に釣り糸の直径が径情報として送信されるので、算出される水深データに大きな誤差が生じることはない。
【００４２】
なお、図５では、径情報として釣り糸の直径を用いるものとしたが、これに限られるものではなく、径情報は、釣り糸の太さを表すものであればどのようなものであってもよい。例えば、釣り糸の断面積のデータを径情報として用いてもよいし、あるいは、基準となる釣り糸を予め定めておき、その基準となる釣り糸との直径や断面積の相対比を径情報として用いてもかまわない。
【００４３】
また、サーバ１０３のデータベースに、当該商品情報に対応する径情報が登録されていない場合は、サーバ１０３はスマートフォン１０２に、径情報が登録されていない旨を示すエラーデータをスマートフォン１０２に送信する。このときサーバ１０３は、径情報以外の情報、例えば号数や材質の情報をスマートフォン１０２に送信してもよい。スマートフォン１０２は、エラーデータを受信したとき、図７のような画面を表示する。ユーザはこの画面を確認して、釣り糸の号数と材質を電動リール１００に送信してもよい。電動リール１００では、リール制御部２０は、送信された号数と材質から一般的な釣り糸の直径を特定し、これに従って糸長データを選択し、水深データを演算する。なお、サーバ１０３から号数や材質の情報が送信されない場合は、ユーザ自身がスマートフォン１０２に号数や材質の情報を入力し、電動リール１００に送信してもよい。
【００４４】
（スマートフォンからの遠隔操作）
スマートフォン１０２は、魚群探知機１０４と連携し、電動リール１００を遠隔操作することも可能である。例えば、スマートフォン１０２は、魚群探知機１０４から、魚影の水深を示す魚影情報を取得する。そして、スマートフォン１０２は、取得した魚影情報が示す水深まで釣り糸を繰り出す動作を指示する命令信号を電動リール１００に送信する。電動リール１００はスマートフォン１０２から命令信号を受信すると、スプール１０をフリーにして、仕掛けがスマートフォン１０２から送信された魚影の水深に達したとき、スプール１０をロックする。このようにして、スマートフォン１０２は、電動リール１００が自動的に魚影の棚まで仕掛けを落とすという動作を、遠隔操作することができる。
【００４５】
また、この他にも、スマートフォン１０２からの電動リール１００の遠隔操作は可能である。例えば、スマートフォン１０２は電動リール１００に、スプール１０の負荷が設定値以上になったとき信号を出力する動作を指示する命令信号を、当該設定値とともに送信する。そして、電動リール１００から信号を受けたとき、アタリがあったと判断して、電動リール１００に巻き上げの命令を送信する。このようにして、スマートフォン１０２は電動リール１００に対して、アタリがあれば自動的に巻き上げを行うという動作を遠隔操作することができる。
【００４６】
また、スマートフォン１０２は、電動リール１００のクラッチ機構のオンオフを指示する命令信号を送信してもよい。この場合、ユーザは、スマートフォン１０２において、電動リール１００の釣り糸の巻き方をプログラムすることができる。例えば、チョイ巻き等の誘い機能をスマートフォン１０２から遠隔操作することができる。
【００４７】
また、表示部５の画面表示と同一内容を、スマートフォン１０２に表示するようにしてもよい。
【００４８】
（他の動作例）
上の例では、スマートフォン１０２は、釣り糸のパッケージに付されたバーコードから商品情報を取得するものとしたが、これに限られるものではない。例えば、ユーザが、スマートフォン１０２に商品情報を手入力してもよい。あるいは、スマートフォン１０２に搭載されたカメラによって釣り糸のパッケージに付されたラベルを撮影し、その撮影画像を画像処理することによって、当該釣り糸の商品情報を認識するようにしてもかまわない。
【００４９】
また、図４のフローにおいて、スマートフォン１０２は、サーバ１０３から径情報を受信した後、受信した径情報を商品情報と対応付けて、自己の記憶部に保存するようにしてもよい。これにより、以後は、同じ釣り糸の商品情報を認識した場合には、サーバ１０３にアクセスせずに、自己の記憶部に保存された情報を参照するだけで、径情報を取得することができる。
【００５０】
また、上の例では、スマートフォン１０２は、インターネット１１０を介してサーバ１０３にアクセスして、商品情報に対応する径情報を受信するものとしたが、これに限られるものではない。例えば、釣り糸商品の情報が登録されたデータベースをスマートフォン１０２側で管理しておき、このデータベースにアクセスして径情報を取得するようにしてもよい。この場合、データベースは例えば、アプリのダウンロードの際に取得し、適宜自動更新するようにすればよい。
【００５１】
また、上の例では、釣り糸の商品情報として、商品名および品番を用いるものとしたが、これに限られるものではない。例えば、これらに加えてメーカー名を用いてもかまわない。
【００５２】
また、上の例では、スマートフォン１０２から電動リール１００に送信する情報は、釣り糸の径情報であるものとしたが、これに限られるものではなく、電動リール１００に当該釣り糸を用いる際に必要となる所定の設定情報であればよい。例えば、径情報と併せて、釣り糸の材質情報を送信してもよいし、あるいは、径情報の代わりに、釣り糸の号数と材質の情報を送信してもよい。
【００５３】
例えば、巻き取り量、すなわち、電動リール１００に巻き付ける釣り糸の長さを、所定の設定情報の１つとして、スマートフォン１０２から電動リール１００に送信するようにしてもよい。例えば、新品の釣り糸を用いる場合は、そのパッケージに記されている釣り糸の長さを、ユーザがスマートフォン１０２に入力し、送信すればよい。
【００５４】
また、巻き取りを行う釣り糸のパッケージをスマートフォン１０２に搭載されたカメラによって撮影し、その撮影画像から巻き取り量を推定することも可能である。これにより、使い古しの釣り糸についても正しい巻き取り量を電動リール１００に送信することができる。例えば、釣り糸を巻き付けた円筒形のパッケージを、その軸方向からカメラによって撮影する。図８に示すように、この撮影画像では、パッケージ８１において釣り糸が巻かれている部分（糸巻き部分）Ｘは円環状になる。スマートフォン１０２は、この円環状の糸巻き部分Ｘの輪郭形状を撮影画像から抽出する。一方、サーバ１０３が管理するデータベースには、所定長の糸が巻かれた同じ形のパッケージ８１における、糸巻き部分の内径ｒ１および外径ｒ２のデータが保存されているものとする。なお、糸巻き部分の内径ｒ１はパッケージサイズによって一意に決まるものであり、外径ｒ２は巻いた釣り糸の長さに応じて変わる。スマートフォン１０２は、サーバ１０３に商品情報を送信して径情報を受信する際に、当該釣り糸の糸巻き部分の内径ｒ１および外径ｒ２のデータを取得する。そして、撮影画像から抽出した糸巻き部分Ｘの輪郭形状と、取得した内径ｒ１および外径ｒ２のデータとを用いて、所定長に対する、釣り糸が巻かれている量の比率を演算する。この演算結果から、巻き取り量を推定することができる。
【符号の説明】
【００５５】
８１  パッケージ
１００  電動リール
１０２  スマートフォン（電子機器）
１０３  サーバ
１０４  魚群探知機
１１０  インターネット
【図１】
2017163886.tif 000003
【図２】
2017163886.tif 000004
【図３】
2017163886.tif 000005
【図４】
2017163886.tif 000006
【図５】
2017163886.tif 000007
【図６】
2017163886.tif 000008
【図７】
2017163886.tif 000009
【図８】
2017163886.tif 000010